(57)【要約】      （修正有）【課題】高圧気体または液体を誘導してバイト或いは加工物に対して洗い流し清掃できる高圧ノズルコネクターキットを提供する。【解決手段】高圧ノズルコネクターキットは、管体１０と、ケーシングとを備える。管体１０が高圧気体または液体を管体１０の内部に注入するための注入口１０１を備え、管体１０の内部には第１収容チャンバー１０２と、第２収容チャンバー１０３とが設けられており、第２収容チャンバー１０３が高圧気体または液体を流出させるための開口部１０３１を備えている。ケーシングが管体１０の外部に固設されているとともに、注入口１０１及び第１収容チャンバー１０２に対応して連接孔及び開孔をそれぞれ備え、管体１０の開口部１０３１を備えている一側部をケーシングから突き出させ、第１収容チャンバー１０２と第２収容チャンバー１０３とが連接している。第１収容チャンバー１０２の内部には弾性体１０２１が設けられる。【選択図】図３
0003195217.tif 000002
【実用新案登録請求の範囲】
【請求項１】
加工機械の内部に取り付けて、高圧気体または液体を誘導して切削加工のときに洗い流し動作を行う高圧ノズルコネクターキットであって、
管体と、ケーシングとを備え、
前記管体が高圧気体または液体を前記管体の内部に注入するための注入口を備え、
前記管体の内部には第１収容チャンバーと、第２収容チャンバーとが設けられており、
前記第２収容チャンバーが高圧気体または液体を流出させるための開口部を備え、
前記ケーシングが前記管体の外部に固設されているとともに、前記注入口及び前記第１収容チャンバーに対応して連接孔及び開孔をそれぞれ備え、
前記管体の前記開口部を備えている一側部を前記ケーシングから突き出させ、
前記第１収容チャンバーと前記第２収容チャンバーとが連接していて、
前記第１収容チャンバーの内部には弾性体が設けられており、前記ケーシングの一側部に前記開孔に対応して接続部材を設けることによって前記第１収容チャンバーが密閉状態となるようにし、
前記接続部材によって前記管体と前記ケーシングとを連接させ、高圧気体または液体が前記連接孔から注入口を介して前記管体に流入した際に、一部分の高圧気体または液体が前記第２収容チャンバーに流入した後に前記開口部から流出し、他の一部分の高圧気体または液体が前記第１収容チャンバーに流入して、前記弾性体と前記接続部材とを洗い流すことによって、前記第１収容チャンバーが圧力を受けて前記弾性体の反発力を引き起こし、高圧気体または液体を前記開口部に誘導して、前記管体が圧力の影響を受けることによる破損を防げることを特徴とする、高圧ノズルコネクターキット。
【請求項２】
前記接続部材が少なくとも一つの締め付け穴と一つの固定ブロックとを備え、前記締め付け穴は前記管体と前記ケーシングとを締結方式によって連接し、前記固定ブロックによって前記弾性体に位置制限効果が提供されることを特徴とする、請求項１記載の高圧ノズルコネクターキット。
【請求項３】
前記管体と前記接続部材との間に、環状構造を有するシール部材が設けられており、その内径は前記管体の外径と同じであることを特徴とする、請求項２記載の高圧ノズルコネクターキット。
【請求項４】
前記管体が、前記注入口の対向する位置に、前記管体が受ける高圧気体及び液体による圧力を受け止める緩衝部を有することを特徴とする、請求項３記載の高圧ノズルコネクターキット。
【請求項５】
前記弾性体がばねであることを特徴とする、請求項４記載の高圧ノズルコネクターキット。
【考案の詳細な説明】
【技術分野】
【０００１】
本考案はノズル構造に関し、特にチャンバーと弾性部材とを貫通させて用いることにより、高圧で洗い流したときの弾性部材の反発力によって気体または液体を出口部に誘導させ、気体または液体の実効使用率を向上すると共に、ノズルの使用寿命を延長できる高圧ノズルコネクターキットに関する。
【背景技術】
【０００２】
切削、研磨などの機械加工用機械は、工作物の温度を有効に引き下げると共にバイト（刃）が切り屑によって作業を妨げられないようにするため、一般に高圧気体または液体を用いてバイトと加工物とを洗い流し、切り屑が加工物の誤差を引き起したり、加工効率へ影響を与えたりすることを防いでいる。
【考案の概要】
【考案が解決しようとする課題】
【０００３】
従来の加工機械は、作業者が手動によって前述の清掃作業を行なっており、一定期間を経過した後に加工をいったん中止して、手動で高圧エアガンまたは高圧ウォータガンを使用してバイトと加工物の挟持部とを洗い流し、切り屑がバイトや加工物に固着したままにならないように取り除き、その後の加工工程への影響を避ける。しかし、この種の方式は手動操作が必要で、しかも作業工程をいったん中止してから、この作業を行わなければならないため、加工時間のロスが発生する。よって、手動操作を軽減するために、加工機械にノズル及び高圧気体または液体管路を配置して、清掃作業を自動方式によって行う。ノズルコネクターを加工機械の内部に固設して置き、一端を管路に接続して、高圧気体または液体を誘導させ、ノズルコネクターが直接バイト及び加工物に対して洗い流し作業を行うものが考案されている。通常はノズルコネクターの外側に台を設けられ、ノズルコネクターは管状の構造体を形成し、管体に注入口が設けられて管路に連接され、さらに、管体の一端には液体または気体の噴射口が設けられ、他端に開放式の開口部が設けられ、台にはその開口部に対応するように通り穴が設けられている。しかしながら高圧気体または液体が管体の内部に注入されたとき、管壁がその圧力を受けて高圧気体または液体が各方向に流されるため、一部分の気体または液体が開放式の開口部から台の外部に流され、他の一部の気体または液体が噴出口より流れだすため、噴出口の気体または液体の量が影響されるのみならず、管体が長時間にわたり高圧状態で使用されることによって、破損しやすい。よって、高圧ノズルキットの気体または液体の量を制御し、管体の使用寿命を延長することは差し迫った解決課題である。
【課題を解決するための手段】
【０００４】
本考案人は前述した加工機械に適用されているノズルの欠点解決を図るため、高圧ノズルコネクターキットを提供する。
【０００５】
本考案の一目的は、各種の加工機械の内部に取り付け、自動方式によって加工物またはバイトに対して洗い流しを行うと共に、ノズル本体構造を改良し、受ける圧力を有効に向上することにより使用寿命を延長すると共に高圧気体または液体の最適な使用効率を確保できる高圧ノズルコネクターキットを提供する。
【０００６】
前述目的を達成するため、本考案の高圧ノズルコネクターキットは、加工機械の内部に取り付けて、高圧気体液体を誘導して切削加工のときに洗い流し動作を提供する。高圧ノズルコネクターキットは、管体と、ケーシングとを備え、管体には内部に高圧気体または液体を注入する注入口が設けられていて、かつ管体の内部には第１収容チャンバーと第２収容チャンバーとが設けられている。第２収容チャンバーには開口部が設けられており、高圧気体または液体を外部に流す。ケーシングは管体の外部に設けられていて、かつ注入口及び第１収容チャンバーに対応して、それぞれ連接孔と開孔とが設けられており、管体の開口部が設けられた側はケーシングから突き出している。その特徴として、第１収容チャンバーと第２収容チャンバーとが連通していて、かつ第１収容チャンバーの内部には弾性体が設けられ、ケーシングの一側部には開孔に対応して連接部材が設けられており、もって第１収容チャンバーが密閉状態を形成する。さらに、連接部材によって、管体とケーシングとが連接して固定される。そのうち、高圧気体または液体が連接孔から注入口を介して管体に流された後、一部分の高圧気体または液体を第２収容チャンバー方向に流して開口部から流出させ、他の一部分の高圧気体または液体を第１収容チャンバー方向に流して弾性体と連接部材とを洗い流すことによって、第１収容チャンバーは圧力による弾性部材の反発力によって、高圧気体または液体を誘導して開口部へと流し、もって管体が圧力の影響によって破損することを防ぐことができる。
【０００７】
そのうち、連接部材に少なくとも一つの締め付け穴と、一つの固定ブロックとを設ける。締め付け穴は、管体とケーシングとを締結方式によって接続固定し、固定ブロックは弾性体に対する位置制限効果を有する。弾性体はばねによって実施することが好ましい。
【０００８】
このほかに、管体と接続具との間には環状構造体のシール部材が設けられており、その内径は管体の外径に等しい。さらに、管体には注入口を設ける側に対応して緩衝部が設けられており、管体が高圧気体及び液体によって形成される圧力を有効に誘導することができる。
【０００９】
以上に述べたように、本考案は高圧気体または液体から管体に与えられた作用力を有効利用して気体または液体の使用量を維持することにより、使用寿命が延長されると共に、破損率を軽減できる。
【図面の簡単な説明】
【００１０】
【図１】本考案の好ましい実施例の立体分解図である。
【図２】本考案の好ましい実施例の立体組立図である。
【図３】本考案の好ましい実施例の応用断面図である。
【図４】本考案の好ましい実施例のもう一つの実施態様の応用断面図である。
【考案を実施するための形態】
【００１１】
審査官の方々が本考案の内容を明確に理解されるよう、下記の説明に図式を組み合わせ、参考にしていただきたい。
【００１２】
図１ないし３の本考案による好ましい実施例の立体分解図、立体組立図及び応用断面図を併せて参照する。本考案の高圧ノズルコネクターキット１は、加工機械（図示しない）の内部に取り付けられ、高圧気体または液体２を誘導して切削加工時に洗い流しを行う。高圧ノズルコネクターキット１は、管体１０と、ケーシング１１とを備え、管体１０には高圧気体または液体２を管体１０の内部に注入するための注入口１０１が設けられている。管体１０の内部には第１収容チャンバー１０２と、第２収容チャンバー１０３とが設けられており、第２収容チャンバー１０３には高圧気体または液体２を流出させるための開口部１０３１を設けられている。ケーシング１１が管体１０の外部に固設され、さらに、ケーシング１１には注入口１０１及び第１収容チャンバー１０２に対応して連接孔１１１及び開孔１１２をそれぞれ設け、管体１０の開口部１０３１を設けられている側をケーシング１１から突き出させる。そのうち、好ましくは連接孔１１１を高圧気体または液体２を提供する管路に接続し、開口部１０３１を加工機械のバイト回転輪に接続しておき、もって加工中のバイト及び加工物に対して洗い流し清掃を提供する。
【００１３】
本考案による高圧ノズルコネクターキット１においては、第１収容チャンバー１０２と第２収容チャンバー１０３とが連絡されていて、第１収容チャンバー１０２の内部には弾性体１０２１が設けられている。ケーシング１１の一側部には開孔１１２に対応して接続部材１２が設けられており、ケーシング１１の外側から第１収容チャンバー１０２を封止している。さらに、接続部材１２によって、管体１０と該ケーシング１１とが連接される。そのうち、高圧気体または液体２が連接孔１１１から注入口１０１を介して、管体１０に流入した後、一部分の高圧気体または液体２が直接開口部１０３１から流出して加工機械内部のバイトまたは加工物を洗い流し、他の一部分の高圧気体または液体２は第１収容チャンバー１０２に流入して、弾性体１０２１と接続部材１２とを洗い流す。第１収容チャンバー１０２が圧力を受けると弾性体１０２１の反発力により、高圧気体または液体２が誘導されて開口部１０３１に向かって流れ、管体１０が圧力の影響によって破損することを防ぐと共に高圧気体または液体２の実効使用率を向上することができるという特徴を有する。
【００１４】
そのうち、接続部材１２に少なくとも一つの締め付け穴１２１を設け、締結手段によってケーシング１１と管体１０とを連接する。さらに、接続部材１２には弾性体１０２１に対応して固定ブロック１２２が設けられている。接続部材１２はケーシング１１の外側から開口部１１２に対応して、少なくとも一つの締結部材３を介して締結されることによって、管体１０がケーシング１１の内部に接続されると共に、第１収容チャンバー１０２を封止している。固定ブロック１２２は第１収容チャンバー１０２の内部に位置する。そのうち、管体１０はケーシング１１に対してわずかに滑りながら移動することができ、設置される加工機械及び作用させるバイトの回転輪または加工物などに対して調節できる。固定ブロック１２２は弾性体１０２１に対して位置制限の働きを果たし、第１収容チャンバー１０２内部での弾性体１０２１の移動を防止する。そのうち、弾性体１０２１はばねとして実施し、固定ブロック１２２を弾性体から形成する中空部に係合しておき、位置固定の効果を形成することが好ましい。このほかに、注入口１０１を対応して第１収容チャンバー１０２の近辺に設けることが好ましい。
【００１５】
そのほかに、管体１０には注入口１０１を設置する側に緩衝部１０４が設けられ、高圧気体または液体２が管体１０の内部に侵入するときに、管体１０の受ける圧力に従って調節及び誘導することによって、高圧ノズルコネクターキット１の耐圧効果を向上する。
【００１６】
図３に示すように、本考案を適用するときは、連接孔１１１と高圧気体または液体２の管路とを互いに接続した後、高圧気体または液体２を管体１０の内部に流し込み、緩衝部１０４と管体１０の内壁とを洗い流す。このとき、一部分の高圧気体または液体２が第２収容チャンバー１０３に流入して、開口部１０３１から流出して加工物またはバイトを洗い流し、他の一部分の高圧気体または液体２が第１収容チャンバー１０２に流入する。第１収容チャンバー１０２には密閉状態の弾性体１０２１が設けられているため、高圧気体または液体２が速いスピードで第１収容チャンバー１０２に流入したときには反発力を引き起こし、高圧気体または液体２がこの反発力を受けて、第２収容チャンバー１０３に逆流して同じく開口部１０３１から流出する。これにより、高圧気体または液体２は確実に開口部１０３１に導かれ、管体１０またはケーシング１１の内部には滞留されない。管体１０の耐圧能力が向上されると共に、バイトの回転輪または加工物を洗い流すときの作用力によって、管体１０の使用寿命を長くする効果がある。
【００１７】
引き続き図４、本考案の好ましい実施例のもう一つの実施態様の応用断面図を参照する。この実施例において、管体１０と接続具１２との間には環状構造体のシール部材１３を設け、接続部材１２に対して固定ブロック１２２を設ける側から装着される。シール部材１３の内径は管体１０の外径と同じであり、管体１０と接続部材１２とを接続するときに、管体１０の一側部をシール部材１３に当てておき、高圧気体または液体２が漏れることを防止する効果が達成される。
【符号の説明】
【００１８】
１        高圧ノズルコネクターキット
１０      管体
１０１    注入口
１０２    第１収容チャンバー
１０２１  弾性体
１０３    第２収容チャンバー
１０３１  開口部
１０４    緩衝口
１１      ケーシング
１１１    連接孔
１１２    開孔
１２      接続部材
１２１    締め付け穴
１２２    固定ブロック
１３      シール部材
２        高圧気体または液体
３        締結部材
【図１】
0003195217.tif 000003
【図２】
0003195217.tif 000004
【図３】
0003195217.tif 000005
【図４】
0003195217.tif 000006